(57)【要約】【課題】固定手段を脱操作すると、トナーシャッターがロックされていたトナーカートリッジをアンロックする画像形成装置を提供する。【解決手段】突き当て部１５が下から押し上げる方向に付勢されないとき、ロック棒７６は下がり、突起７８はカム面７２Ａを押圧しないのでカム板７２は左右方向にスライド移動可能となり、カム板７２に設けられた挟持部７４もまたスライド移動可能となる。カム板７２は開閉操作部１３に固定されているので、開閉操作部１３をスライド移動させることにより扉１２の外側からカム板７２をスライド移動させることができる。プロセスカートリッジ１４に設けられた把持部８０はカム板７２に設けられた挟持部７４により挟持されているので、カム板７２がスライド移動可能となったことによりプロセスカートリッジ１４自体もまたトナーシャッター１７を開放する方向にスライド移動可能となる。【選択図】図６
2009086289.tif 000002
【特許請求の範囲】
【請求項１】
筐体内に装着され、画像形成剤の供給口を封止する封止位置と該供給口の封止を開放して画像形成剤を外部へ供給可能とする供給位置とに移動可能な画像形成剤収容器と、
前記画像形成剤収容器が前記封止位置から移動するのを阻止する阻止位置と移動を阻止しない非阻止位置とに移動可能であって、前記筐体外から操作される移動阻止手段と、
前記移動阻止手段を前記阻止位置に固定する固定手段と、を有する画像形成装置。
【請求項２】
前記固定手段を脱操作することで、前記移動阻止手段を阻止位置から非阻止位置へ移動可能とする請求項１に記載の画像形成装置。
【請求項３】
前記固定手段は、前記筐体を梱包する梱包材であって、前記梱包材を脱操作することで、前記移動阻止手段を移動阻止位置から非阻止位置へ移動可能とする請求項１に記載の画像形成装置。
【請求項４】
前記封止位置と前記供給位置とに前記画像形成剤収容器を移動させる移動手段をさらに備え、該移動手段は前記筐体外から操作される請求項１〜３に記載の画像形成装置。
【請求項５】
前記画像形成収容器は、前記筐体の一部を開閉する開閉手段を開放することで着脱可能とされ、
前記移動手段を操作する操作部が前記開閉手段に設けられた請求項４に記載の画像形成装置。
【請求項６】
前記画像形成剤収容器は、前記筐体内に複数配置され、前記移動阻止手段は複数の前記画像形成剤収容器の少なくとも２個以上の移動を阻止する請求項１〜５に記載の画像形成装置。
【請求項７】
前記封止位置と前記供給位置との移動の方式が、スライドである請求項４〜６に記載の画像形成装置。
【請求項８】
前記封止位置と前記供給位置との移動の方式が、回転である請求項４〜６に記載の画像形成装置。
【請求項９】
前記移動手段は、前記画像形成剤収容器と係合する挟持部と、
前記筐体外から操作される操作部と、を備え、
前記移動阻止手段は、前記挟持部が設けられた板部と、
前記板部に形成されたカム面と、
前記筐体外から操作可能であって、前記カム面と接触する突部が設けられたロック棒と、を備える請求項７に記載の画像形成装置。
【請求項１０】
筐体内に交換可能に装着され、待機位置と使用位置とに移動可能とされた交換部材と、
前記交換部材が前記待機位置から移動するのを阻止する阻止位置と移動を阻止しない非阻止位置とに移動可能であって、前記筐体外から操作される移動阻止手段と、
前記移動阻止手段を前記阻止位置に固定する固定手段と、を有する交換部材固定構造。
【発明の詳細な説明】
【技術分野】
【０００１】
本発明は画像形成装置及び交換部材固定構造に関する。
【背景技術】
【０００２】
画像形成装置本体にプロセスカートリッジを装着する途中の位置で、固定部材によりプロセスカートリッジを画像形成装置本体に固定し、トナー供給口を閉止した状態で維持する構成が従来より存在する（例えば、特許文献１参照）。
【特許文献１】特開２００５−９１７０８号公報
【発明の開示】
【発明が解決しようとする課題】
【０００３】
本発明は画像形成剤収容器及び交換部材の移動の阻止及び非阻止を筐体外から操作する、画像形成装置及び交換部材固定構造を提供する。
【課題を解決するための手段】
【０００４】
請求項１に記載の画像形成装置は、筐体内に装着され、画像形成剤の供給口を封止する封止位置と該供給口の封止を開放して画像形成剤を外部へ供給可能とする供給位置とに移動可能な画像形成剤収容器と、前記画像形成剤収容器が前記封止位置から移動するのを阻止する阻止位置と移動を阻止しない非阻止位置とに移動可能であって、前記筐体外から操作される移動阻止手段と、前記移動阻止手段を前記阻止位置に固定する固定手段と、を有することを特徴とする。
【０００５】
請求項２に記載の画像形成装置は、請求項１に記載の構成に於いて、前記固定手段を脱操作することで、前記移動阻止手段を阻止位置から非阻止位置へ移動可能とすることを特徴とする。
【０００６】
請求項３に記載の画像形成装置は、請求項１に記載の構成に於いて、前記固定手段は、前記筐体を梱包する梱包材であって、前記梱包材を脱操作することで、前記移動阻止手段を移動阻止位置から非阻止位置へ移動可能とすることを特徴とする。
【０００７】
請求項４に記載の画像形成装置は、請求項１〜３に記載の構成に於いて、前記封止位置と前記供給位置とに前記画像形成剤収容器を移動させる移動手段をさらに備え、該移動手段は前記筐体外から操作されることを特徴とする。
【０００８】
請求項５に記載の画像形成装置は、請求項４に記載の構成に於いて、前記画像形成収容器は、前記筐体の一部を開閉する開閉手段を開放することで着脱可能とされ、前記移動手段を操作する操作部が前記開閉手段に設けられたことを特徴とする。
【０００９】
請求項６に記載の画像形成装置は、請求項１〜５に記載の構成に於いて、前記画像形成剤収容器は、前記筐体内に複数配置され、前記移動阻止手段は複数の前記画像形成剤収容器の少なくとも２個以上の移動を阻止することを特徴とする。
【００１０】
請求項７に記載の画像形成装置は、請求項４〜６に記載の構成に於いて、前記封止位置と前記供給位置との移動の方式が、スライドであることを特徴とする。
【００１１】
請求項８に記載の画像形成装置は、請求項４〜６に記載の構成に於いて、前記封止位置と前記供給位置との移動の方式が、回転であることを特徴とする。
【００１２】
請求項９に記載の画像形成装置は、請求項７に記載の構成に於いて、前記移動手段は、前記画像形成剤収容器と係合する挟持部と、前記筐体外から操作される操作部と、を備え、前記移動阻止手段は、前記挟持部が設けられた板部と、前記板部に形成されたカム面と、前記筐体外から操作可能であって、前記カム面と接触する突部が設けられたロック棒と、を備えることを特徴とする。
【００１３】
請求項１０に記載の交換部材固定構造は、筐体内に交換可能に装着され、待機位置と使用位置とに移動可能とされた交換部材と、前記交換部材が前記待機位置から移動するのを阻止する阻止位置と移動を阻止しない非阻止位置とに移動可能であって、前記筐体外から操作される移動阻止手段と、前記移動阻止手段を前記阻止位置に固定する固定手段と、を有することを特徴とする。
【発明の効果】
【００１４】
請求項１に記載の画像形成装置の構成によれば、移動阻止手段を阻止位置に固定することで画像形成剤収容器の封止位置からの移動を阻止することができる。移動阻止手段は筐体外から操作可能であり、移動阻止手段を阻止位置へ移動させるにあたって、筐体内へアクセスする必要がなく、筐体内へのアクセスを要する構成と比して、装置出荷時等の作業性が向上する。
【００１５】
請求項２に記載の画像形成装置の構成によれば、移動阻止手段を非阻止位置へ移動させるにあたって、固定手段を脱操作することで筐体外から操作可能な移動阻止手段は阻止位置から非阻止位置へ移動可能となり、筐体内へアクセスする必要がなく、筐体内へのアクセスを要する構成と比して、ユーザーの作業性が向上する。
【００１６】
請求項３に記載の画像形成装置の構成によれば、移動阻止手段を非阻止位置へ移動させるにあたって装置出荷時等に筐体を梱包する梱包材を脱操作することで、筐体外から操作可能な移動阻止手段は阻止位置から非阻止位置へ移動可能となり、固定手段の脱操作忘れを防止できるとともに、筐体内へアクセスする必要がなく、筐体内へのアクセスを要する構成と比して、ユーザーの作業性が向上する。
【００１７】
請求項４に記載の画像形成装置の構成によれば、画像形成剤収容器を封止位置から供給位置へ移動させるにあたって、筐体内へアクセスする必要がなく、さらにユーザーの作業性が向上する。
【００１８】
請求項５に記載の画像形成装置の構成によれば、画像形成剤収容器を着脱する動作と移動手段を操作する動作の両動作が装置の同方向で可能とされ、それらの動作が装置の別々の方向で行なわれる構成と比して、ユーザーの作業性が向上する。
【００１９】
請求項６に記載の画像形成装置によれば、一の移動阻止手段に対して複数の画像形成剤収容器の移動が阻止されるので、画像形成剤収容器の数より移動阻止手段の数を少なくすることができ、画像形成剤収容器と同数の移動阻止手段を設けた構成と比して、作業性が向上する。
【００２０】
請求項７に記載の画像形成装置によれば、単純な操作で画像形成剤収容器を移動させることができ、ユーザーの作業性が向上する。
【００２１】
請求項８に記載の画像形成装置によれば、単純な操作で画像形成剤収容器を移動させることができ、ユーザーの作業性が向上する。
【００２２】
請求項９に記載の画像形成装置によれば、単純な機構で移動阻止手段を実現できる。
【００２３】
請求項１０に記載の交換部材固定構造によれば、移動阻止手段を阻止位置に固定することで交換部材の待機位置からの移動を阻止することができる。移動阻止手段は筐体外から操作可能であり、移動阻止手段を阻止位置へ移動させるにあたって、筐体内へアクセスする必要がなく、筐体内へのアクセスを要する構成と比して、装置出荷時等の作業性が向上する。
【発明を実施するための最良の形態】
【００２４】
＜装置概要＞
以下、図面を参照して本発明の実施の形態について説明する。
【００２５】
図１には本発明の実施の形態に係る画像形成装置としてのプリンタ１０が示されている。
【００２６】
プリンタ１０には、４色（イエロー（Ｙ）、マゼンタ（Ｍ）、シアン（Ｃ）、ブラック（Ｋ））のトナー（画像形成剤）による現像動作を行う現像装置１８が上下方向に配列されている。
【００２７】
図１に示すように、プリンタ１０の下部には、用紙Ｐが収納された給紙カセット２４が設けられている。給紙カセット２４の上部には、最上面の用紙Ｐを所定のタイミングで送り出すピックアップ２６が設けられている。
【００２８】
ピックアップロール２６によって、給紙カセット２４から送り出された用紙Ｐは，搬送ロール２８等およびレジロール３０によって用紙搬送路３２へ送り込まれ、搬送装置４４へ搬送される。
【００２９】
現像装置１８は、用紙搬送路３２の上流側から前述のＹ、Ｍ、Ｃ、Ｋの順に配設されており、現像装置１８の図中右側には、感光体ドラム１６に走査光を露光する露光装置３４が配設されている。
【００３０】
露光装置３４は、露光装置の筐体３６内に半導体レーザ４０、ポリゴンミラー３８、結像レンズ及びミラー４２等が配設されており、半導体レーザ４０からの光は、ポリゴンミラーで偏向走査され、結像レンズとミラー４２を介して、予め帯電装置（図示せず）により所定の電圧に帯電された感光体ドラム１６に照射される。これにより、感光体ドラム１６には、画像情報に応じた静電潜像が形成される。
【００３１】
また、プリンタ１０の図中左側（感光体ドラム１６と対向する位置）には、前述の搬送装置４４が配設されている。搬送装置４４は、一対の張架ロール４６、４８と、この張架ロール４６、４８に巻きかけられた搬送ベルト５０とで構成されている。張架ロール４８は図示しないモータから駆動力が伝達されて回転し、搬送ベルト５０の表面が移動する。
【００３２】
張架ロール４６の近傍には、吸着ロール５４が配設されており、この吸着ロール５４に電圧が印加されることによって、搬送ベルト５０に給紙カセット２４から送り出された用紙Ｐが静電的に吸着される。
【００３３】
また、搬送ベルト５０の裏面であって、各色に対応した感光体ドラム１６に対向する位置には、それぞれ各色ごとに転写ロール５２が配設されている。感光体ドラム１６に形成された静電潜像は、現像装置１８によって現像されて可視のトナー像となり、この転写ロール５２によって、感光体ドラム１６上のトナー像が搬送ベルト５０上を搬送されてくる用紙Ｐに転写され、さらに定着装置５６によって用紙Ｐ上に定着される。トナー像が定着された用紙Ｐは、排出ロール５８によって排出トレイ６０へ排出される。
【００３４】
＜第１実施形態＞
本発明の第１実施形態に係る画像形成装置、画像形成剤収容器、交換部材固定構造について図面に基づいて説明する。
【００３５】
図２、３には本発明の第１実施形態に係る画像形成装置であるプリンタ１０が示されている。
【００３６】
図２、３に示すように本発明の第１実施形態に係るプリンタ１０は、プリンタ１０の筐体の側面一部を開閉可能とする扉１２（開閉手段）が図示しないヒンジで設けられている。また、扉１２に設けられた操作窓１１から、筐体内に設けられたロック機構７０（移動阻止手段、固定手段）の操作部１３が操作可能に露出している。
【００３７】
扉１２の内側には図３に示すように、ロック機構７０が設けられ、突き当て部１５（固定手段）の下端が扉１２の下側に突出している。プリンタ１０の内部には、画像形成剤収容器としてのトナーカートリッジ１４が色別に４個（１４Ｋ〜１４Ｙ）交換可能に装着されており、扉１２を開放することで筐体内に装着されたトナーカートリッジ１４は着脱可能となる。
【００３８】
図４には本発明の第１実施形態に係るトナーカートリッジ１４が示されている。
【００３９】
図４（Ａ）〜（Ｄ）に示すように本発明の第１実施形態に係るトナーカートリッジ１４は全体として略柱状の形状であり、プリンタ１０への装着時には図４（Ａ）（Ｄ）に示すように手前側に把持部８０が位置し、トナーカートリッジ１４がプリンタ１０に装着され、扉１２を開放した状態では把持部８０がプリンタ１０の外側から操作可能に配置される。
【００４０】
トナーカートリッジ１４をプリンタ１０に装着する際に奥側（プリンタ１０の内部側）となる奥側面１４Ｂには、図４（Ｂ）（Ｃ）に示すように、トナーシャッター１７（封止部材）がトナーカートリッジ１４の長手方向すなわち図中白矢印方向にスライド可能に設けられている。  トナーシャッター１７はトナーカートリッジ１４内部に貯蔵された画像形成剤であるトナーを外部に供給するトナー供給口（画像形成剤の供給口）を封止しており、図中矢印方向にトナーシャッター１７をスライド移動させることでトナー供給口が開放され、内部に貯蔵されたトナーが外部へ供給可能となる。
【００４１】
トナーシャッター１７には係合部１７Ａが設けられ、この係合部１７Ａとプリンタ１０内部のトナーシャッター１７と対向する位置に設けられた図示しない固定部とは、トナーカートリッジ１４がプリンタ１０に装着されることによって係合する。
【００４２】
トナーカートリッジ１４は、プリンタ１０に装着された状態で、トナー供給口が封止された封止位置と、トナー供給口が開放されてトナーを外部へ供給可能となる供給位置とに移動可能とされている。
【００４３】
つまり、トナーカートリッジ１４はプリンタ１０に装着された状態で図中黒矢印で示す長手方向にスライド移動可能に支持されている。トナー係合部１７Ａと固定部とが係合した状態でトナーカートリッジ１４を図中黒矢印方向にスライド移動させると、トナーシャッター１７はプリンタ１０側に係合されてスライド移動しないため、トナーシャッター１７が封止しているトナー供給口が開放され、トナーカートリッジ１４内部のトナーはプリンタ１０内へ供給可能となる。
【００４４】
図５〜８には本発明の第１実施形態に係るトナーカートリッジ１４のロック機構７０が示されている。
【００４５】
ところで、本発明の第１実施形態に係る画像形成装置は、筐体内に装着され、画像形成剤の供給口を封止する封止位置と該供給口の封止を開放して画像形成剤を外部へ供給可能とする供給位置とに移動可能な画像形成剤収容器と、前記画像形成剤収容器が前記封止位置から移動するのを阻止する阻止位置と移動を阻止しない非阻止位置とに移動可能であって、前記筐体外から操作される移動阻止手段と、前記移動阻止手段を前記阻止位置に固定する固定手段と、を有するように構成されている。
【００４６】
また、本発明の第１実施形態に係る画像形成装置は、前記固定手段を脱操作することで、前記移動阻止手段を阻止位置から非阻止位置へ移動可能とするように構成されている。
【００４７】
図５に示すように、本発明の第１実施形態に係るトナーカートリッジ１４のロック機構７０（移動阻止手段、固定手段）はトナーカートリッジ１４の把持部８０を挟持する挟持部７４（移動手段）が設けられ、トナーカートリッジ１４の長手方向にスライド移動可能に支持されたカム板７２（移動阻止手段、固定手段）、扉１２の操作窓１１を通してカム板７２に固定された操作部１３（移動手段）、カム板７２に設けられたカム面７２Ａに接触する突起７８が設けられたロック棒７６（移動阻止手段）とで構成される。
【００４８】
扉１２が閉鎖された状態では挟持部７４はトナーカートリッジ１４の把持部８０を挟持している。この状態で、カム板７２を扉１２の外側から操作窓１１を通してプリンタ１０外から操作部１３をスライド移動させることでトナーカートリッジ１４は長手方向（図中白矢印方向）にスライド移動する。
【００４９】
扉１２の外部より突き当て部１５を操作することにより、ロック棒７６は、カム板７２等を介して、トナーカートリッジ１４のトナーシャッター１７が封止された位置からトナーカートリッジ１４が移動するのを阻止する阻止位置と、トナーカートリッジ１４の移動を阻止しない非阻止位置とに移動する。
【００５０】
つまり、扉１２の外部より突き当て部１５を押し上げると、突き当て部１５が押し上げられることによりロック棒７６は押し上げられ、突起７８はカム面７２Ａと接触し、押圧する。
【００５１】
図６（Ｂ）に示すように突起７８がカム面７２Ａを押圧することによりカム板７２が図中白矢印側にスライド移動し、カム板７２に設けられた挟持部７４もまた同方向にスライド移動する。
【００５２】
図８（Ａ）、（Ｂ）に示すようにトナーカートリッジ１４に設けられた把持部８０は挟持部７４により挟持されてカム板７２と同方向にスライド移動し、トナーカートリッジ１４自体もまた図５に示す黒矢印方向にスライド移動するので、図４（Ｃ）に示すようにトナーシャッター１７を封止する方向にトナーカートリッジ１４がスライド移動し、トナーシャッター１７が封止される。この状態では、アタッチメント（固定手段）等によってロック棒７６が下がらないように固定することで、カム板７２等を介してトナーカートリッジ１４は封止位置に固定される。
【００５３】
ロック棒７６の先端に設けられた突き当て部１５は扉１２の下に突出した状態、つまり図６（Ｂ）に示すようにロック棒７６は引っかけ部７７と筐体とに係合した復帰バネ７９による弾性力、あるいは自重にて下がった位置にある状態では、図７（Ａ）〜（Ｃ）に示すように突起７８はカム面７２Ａと接触しないか、もしくは接触しても押圧しない箇所に位置する。
【００５４】
突き当て部１５が下から押し上げる方向に付勢されないとき、つまりアタッチメントを外す（脱操作する）ことで、ロック棒７６は下（図中黒矢印方向）に下がり、突起７８はカム面７２Ａを押圧しないので図６（Ａ）に示すようにカム板７２は左右方向すなわち図中白矢印方向側にスライド移動可能となり、カム板７２に設けられた挟持部７４もまたスライド移動可能となる。カム板７２は操作部１３に固定されているので、操作部１３をスライド移動させることにより扉１２の外側からカム板７２はスライド移動する。
【００５５】
本発明の第１実施形態に係る画像形成装置では、図６に示すようにカム板７２同士が連結され、一個の部材として連動する構成としたが、トナーカートリッジ１４ごとに独立して移動可能としてもよいが、ロック棒７６に対して少なくとも２個以上のトナーカートリッジを連動させるほうが好ましい。
【００５６】
トナーカートリッジ１４に設けられた把持部８０はカム板７２に設けられた挟持部７４により挟持されているので、カム板７２がスライド移動可能となったことによりトナーカートリッジ１４自体もまたスライド移動可能となるので、図４（Ａ）に白矢印で示すようにトナーシャッター１７を開放する方向にトナーカートリッジ１４がスライド移動可能となる。
【００５７】
図７（Ｃ）に示すように把持部８０をトナーシャッター１７が開放した状態で固定する爪を設けてもよい。軸８０Ａにて回転可能に軸支された爪８０Ｂは、筐体に設けられた図示しない係合部に係合し、トナーシャッター１７が開放した位置にトナーカートリッジ１４を固定する。
【００５８】
本発明の第１実施形態に係る画像形成装置では、プリンタ１０を製品出荷時等に梱包する梱包材９０（固定手段）を用いてロック棒７６を移動阻止位置へ固定している。
【００５９】
すなわち、図８（Ａ）に示すようにプリンタ１０を梱包することによって梱包材９０がロック棒７６の先端に位置する突き当て部１５を下方から上方へと押し上げる方向に付勢し、プリンタ１０が梱包された状態では、ロック棒７６はカートリッジ１４の移動を阻止する阻止位置に固定されている。
【００６０】
一方、ユーザー等がプリンタ１０を開梱すると、梱包材９０は脱操作され、図７（Ａ）に示すようにロック棒７６はカートリッジ１４の移動を阻止しない非阻止位置へと移動し、カートリッジ１４はトナー供給口を開放してトナーを外部へ供給可能な供給位置へと移動可能となる。
【００６１】
＜第２実施形態＞
本発明の第２実施形態に係るトナーカートリッジについて図面に基づき説明する。
【００６２】
図９、１０には本発明の第２実施形態に係るトナーカートリッジ１１４が示されている。なお、前述した第１実施形態と基本的に同一の部品には、前記第１実施形態と同一の符号を付与してその説明を省略する。
【００６３】
図９、１０に示すように本発明の第２実施形態に係るトナーカートリッジ１１４は略円柱状の形状であり、プリンタ１０への装着の後には図９（Ａ）に示すように図中白矢印方向に回転させることで、トナー供給口１７Ｃが封止された封止位置と、トナー供給口１７Ｃの封止が開放されてトナーが外部へ供給可能となる供給位置とに移動される。
【００６４】
すなわち、トナーカートリッジ１４の側面にはトナーシャッター１７が、トナーカートリッジ１１４の外周面の周方向にスライド可能に設けられている。プロセスカートリッジ１１４がプリンタ１０内で回転されることによって、トナーシャッター１７に設けられた係合部１７Ａは筐体内部に設けられた図示しない固定部と係合し、プロセスカートリッジ１１４の周方向にトナーシャッター１７を固定する。
【００６５】
トナーシャッター１７はプロセスカートリッジ１１４内部に貯蔵されたトナーを外部に供給するトナー供給口１７Ｃをカバーしている。プロセスカートリッジ１１４はプリンタ１０に装着された状態で周方向すなわち図９（Ｂ）に示す図中矢印方向に回転可能に支持されており、図９（Ｂ）に示す図中矢印方向にプロセスカートリッジ１１４を回転させることで、筐体内部に設けられた図示しない固定部と係合したトナーシャッター１７は回転移動せず、トナー供給口１７Ｃが開放され、内部に貯蔵されたトナーがプリンタ１０内へ供給される。
【００６６】
図１０には本発明の第２実施形態に係るプロセスカートリッジ１１４のロック機構７１が示されている。
【００６７】
図１０に示すように、本発明の第２実施形態に係るトナーカートリッジ１１４のロック機構７１はトナーカートリッジ１１４の把持部８０を挟持する挟持部７４が設けられ、プロセスカートリッジ１１４の直径方向にスライド移動可能に支持されたカム板７２、カム板７２に固定された開閉操作部１３、カム板７２に設けられたカム面７２Ａに接触する突起７８が設けられたロック棒７６とで構成される。
【００６８】
図１０（Ａ）に示すように、扉１２の外部より突き当て部１５を押し上げる位置に梱包材などで固定した場合、突き当て部１５が押し上げられることによりロック棒７６は押し上げられ、突起７８はカム面７２Ａと接触し、押圧する。
【００６９】
突起７８がカム面７２Ａを押圧することによりカム板７２が図中黒矢印側にスライド移動し、カム板７２に設けられた挟持部７４もまた同方向にスライド移動する。
【００７０】
図８（Ａ）、（Ｂ）に示すようにトナーカートリッジ１１４に設けられた把持部８０は挟持部７４により挟持されているのでカム板７２のスライド移動によって回転し、トナーカートリッジ１１４自体もまた図９（Ａ）に示す黒矢印方向に回転するので、図９（Ａ）に示すようにトナーシャッター１７を閉鎖する方向にトナーカートリッジ１１４が回転し、トナーシャッター１７は閉鎖される。
【００７１】
図１０（Ｂ）に示すように突き当て部１５が下から押し上げる方向に付勢されないとき、ロック棒７６は下（図中白矢印方向）に下がり、突起７８はカム面７２Ａを押圧しないので図１０（Ａ）に示すようにカム板７２は左右方向にスライド移動可能となり、カム板７２に設けられた挟持部７４もまたスライド移動可能となる。カム板７２は開閉操作部１３に固定されているので、開閉操作部１３をスライド移動させることにより扉１２の外側からカム板７２をスライド移動させることができる。
【００７２】
トナーカートリッジ１４に設けられた把持部８０はカム板７２に設けられた挟持部７４により挟持されているので、カム板７２がスライド移動可能となったことにより挟持部７４もまたスライド可能となり、把持部８０はスライド移動する挟持部７４にて挟持され、図中時計回り方向にトナーカートリッジ１１４自体もまた回転可能となるので、図１０（Ｂ）に白矢印で示すようにトナーシャッター１７を開放する方向にトナーカートリッジ１１４が回転可能となる。
【００７３】
また本発明の第２実施形態に係るトナーカートリッジ１１４は図１０のように横に並べて配置しても、図１に示す第１実施形態に記載のトナーカートリッジ１４のように縦に並べて配置してもよい。縦に並べて配置する場合は第１実施形態と同様にトナーカートリッジ１１４ごとにカム板７２を設け、ロック棒７６に設けられた突起７８でカム面７２を押圧する。
【００７４】
＜その他＞
以上、本発明の実施例について記述したが、本発明は上記の実施例に何ら限定されるものではなく、本発明の要旨を逸脱しない範囲において種々なる態様で実施し得ることは言うまでもない。
【００７５】
たとえば上記実施形態では電子写真方式の４色のカラープリンタを例に挙げたが、これに限定せず例えば３色以下または５色以上のプリンタでもよいことは言うまでもなく、画像形成剤としてインクを用いたインクジェット方式の画像形成装置に適用してもよい。
【００７６】
あるいは上記実施形態では４色のプロセスカートリッジを一個の操作部で移動させる構成を例に挙げたが、これに限定せず例えば個々のプロセスカートリッジを独立してそれぞれ設けられた操作部で移動させる構成としてもよい。すなわち、図６に示すカム板７２をプロセスカートリッジ１４ごとに分離独立させ、それぞれに開閉操作部１３を個々に設けてもよい。
【００７７】
さらにトナーカートリッジを備えた画像形成装置に限定せず、種々の粉体を封入し、シャッターで吐出口を封止したパッケージ全般に応用してもよい。
【図面の簡単な説明】
【００７８】
【図１】本発明の第１実施形態に係る画像形成装置を示す断面図である。
【図２】本発明の第１実施形態に係る画像形成装置を示す斜視図である。
【図３】本発明の第１実施形態に係る画像形成装置を示す斜視図である。
【図４】本発明の第１実施形態に係るトナーカートリッジを示す斜視図である。
【図５】本発明の第１実施形態に係るトナーカートリッジのロック機構を示す斜視図である。
【図６】本発明の第１実施形態に係るトナーカートリッジのロック機構を示す側面図である。
【図７】本発明の第１実施形態に係るトナーカートリッジのロック機構を示す斜視図である。
【図８】本発明の第１実施形態に係るトナーカートリッジのロック機構を示す斜視図である。
【図９】本発明の第２実施形態に係るトナーカートリッジを示す斜視図である。
【図１０】本発明の第２実施形態に係るトナーカートリッジのロック機構を示す側面図である。
【符号の説明】
【００７９】
１０   プリンタ
１２   扉
１３   操作部
１４   トナーカートリッジ
１５   突き当て部
１６   感光体ドラム
１７   トナーシャッター
１７Ａ 係合部
１８    現像装置
２４   給紙カセット
３４   露光装置
４４   搬送装置
７０   ロック機構
７２   カム板
７２Ａ カム面
７４   挟持部
７６   ロック棒
７７   引っかけ部
７８   突起
７９   復帰バネ
８０   把持部
８０Ａ 軸
８０Ｂ 爪
９０   梱包材
１１４ トナーカートリッジ
【図１】
2009086289.tif 000003
【図２】
2009086289.tif 000004
【図３】
2009086289.tif 000005
【図４】
2009086289.tif 000006
【図５】
2009086289.tif 000007
【図６】
2009086289.tif 000008
【図７】
2009086289.tif 000009
【図８】
2009086289.tif 000010
【図９】
2009086289.tif 000011
【図１０】
2009086289.tif 000012